(57)【要約】【課題】  簡易な構成で爆発時における爆発片の飛散や爆風圧の拡散が阻止される貯蔵倉庫を提供する。【解決手段】  火薬類等が貯蔵されている倉庫本体１４の外面であって地面１６より上の面がシート体１３で覆われており、その外面が土層２０によって覆われている。シート体１３はゴム製の遮水シートが用いられており、その地面側の端部となる平坦部１９ａ，１９ｂの各々は、アンカーボルト等の複数の固定部材１７ａ，１７ｂによって連続的に地面１６に固定されている。又、シート体１３の上方側の土層２０内には、第１排水材３１が水平に設置されている。従って、土層２０内の水が第１排水材３１を介して移動するため、土層２０の崩壊が防止される。そして、火薬類が爆発すると、破片や爆風はシート体１３に伝達するため、外方への拡散が防止される。尚、シート体１３の外面は土層２０によって覆われているため、爆発時のシート体１３の浮き上がりが防止される。【選択図】  図２
2010195538.tif 000002
【特許請求の範囲】
【請求項１】
火薬類等を貯蔵するための貯蔵倉庫であって、
地面上に設置され、火薬類等を貯蔵するための倉庫本体と、
前記倉庫本体の外面であって、少なくとも前記地面より上の面を覆うシート体と、
前記シート体を前記地面に固定する固定手段と、
前記シート体の外面を覆う土層と、
前記土層内に設置されたシート状の第１排水材とを備えた、貯蔵倉庫。
【請求項２】
前記第１排水材の端部側の少なくとも一部は下方に傾斜する、請求項１記載の貯蔵倉庫。
【請求項３】
前記第１排水材の端部の少なくとも一部は前記土層の下方の外方端部付近に設置される、請求項１又は請求項２記載の貯蔵倉庫。
【請求項４】
前記第１排水材は前記シート体の外面に接するように設置される、請求項１から請求項３のいずれかに記載の貯蔵倉庫。
【請求項５】
前記第１排水材の内面に接するように設置されたシート状の遮水材を更に備える、請求項１から請求項４のいずれかに記載の貯蔵倉庫。
【請求項６】
前記第１排水材の外面の水平面に加わる前記土層の一部に対する静止摩擦力は、前記シート体の外面の水平面に加わる前記土層の一部に対する静止摩擦力より大きい、請求項１から請求項５のいずれかに記載の貯蔵倉庫。
【請求項７】
前記第１排水材の上方側であって、前記土層内に設置されたシート状の第２排水材を更に備える、請求項１から請求項６のいずれかに記載の貯蔵倉庫。
【請求項８】
火薬類等を貯蔵するための貯蔵倉庫であって、
地面上に設置され、火薬類等を貯蔵するための倉庫本体と、
前記倉庫本体の外面を覆う第１土層と、
前記第１土層の外面を覆うシート体と、
前記シート体を前記地面に固定する固定手段と、
前記シート体の外面を覆う第２土層と、
前記第２土層内に設置されたシート状の第１排水材とを備えた、貯蔵倉庫。
【請求項９】
前記第１排水材の端部側の少なくとも一部は下方に傾斜する、請求項８記載の貯蔵倉庫。
【請求項１０】
前記第１排水材の端部の少なくとも一部は前記第２土層の下方の外方端部付近に設置される、請求項８又は請求項９記載の貯蔵倉庫。
【請求項１１】
前記第１排水材は前記シート体の外面に接するように設置される、請求項８から請求項１０のいずれかに記載の貯蔵倉庫。
【請求項１２】
前記第１排水材の内面に接するように設置されたシート状の遮水材を更に備える、請求項８から請求項１１のいずれかに記載の貯蔵倉庫。
【請求項１３】
前記第１排水材の外面の水平面に加わる前記第２土層の一部に対する静止摩擦力は、前記シート体の外面の水平面に加わる前記第２土層の一部に対する静止摩擦力より大きい、請求項８から請求項１２のいずれかに記載の貯蔵倉庫。
【請求項１４】
前記第１排水材の上方側であって、前記第２土層内に設置されたシート状の第２排水材を更に備える、請求項８から請求項１３のいずれかに記載の貯蔵倉庫。
【請求項１５】
火薬類等を貯蔵するための貯蔵倉庫であって、
地面上に設置され、火薬類等を貯蔵するための倉庫本体と、
前記倉庫本体の外面であって、少なくとも前記地面より上の面を覆うと共に、その外面の摩擦係数がその内面の摩擦係数より大きいシート体と、
前記シート体を前記地面に固定する固定手段と、
前記シート体の外面を覆う土層とを備えた、貯蔵倉庫。
【請求項１６】
前記シート体は、
ベースシートと、
前記ベースシートの外面に接するように配置されると共に、その外面の摩擦係数が前記ベースシートの内面の摩擦係数より大きいシート状の排水材とを含む、請求項１５記載の貯蔵倉庫。
【請求項１７】
火薬類等を貯蔵するための貯蔵倉庫であって、
地面上に設置され、火薬類等を貯蔵するための倉庫本体と、
前記倉庫本体の外面を覆う第１土層と、
前記第１土層の外面を覆うと共に、その外面の摩擦係数がその内面の摩擦係数より大きいシート体と、
前記シート体を前記地面に固定する固定手段と、
前記シート体の外面を覆う第２土層とを備えた、貯蔵倉庫。
【請求項１８】
前記シート体は、
ベースシートと、
前記ベースシートの外面に接するように配置されると共に、その外面の摩擦係数が前記ベースシートの内面の摩擦係数より排水シートとを含む、請求項１７記載の貯蔵倉庫。
【請求項１９】
火薬類等を貯蔵するための貯蔵倉庫であって、
地中に設置され、火薬類等を貯蔵するための倉庫本体と、
前記倉庫本体の外面であって、少なくとも前記倉庫本体の最下部より上の面を覆うシート体と、
前記シート体を前記地中で固定する固定手段と、
前記倉庫本体の上方であって前記地中に設置されたシート状の排水材とを備えた、貯蔵倉庫。
【請求項２０】
火薬類等を貯蔵するための貯蔵倉庫であって、
地中に設置され、火薬類等を貯蔵するための倉庫本体と、
前記倉庫本体の外面であって、少なくとも前記倉庫本体の最下部より上の面を覆う土層と、
前記土層の外面を覆うシート体と、
前記シート体を前記地中で固定する固定手段と、
前記倉庫本体の上方であって前記地中に設置されたシート状の排水材とを備えた、貯蔵倉庫。
【発明の詳細な説明】
【技術分野】
【０００１】
この発明は貯蔵倉庫に関し、特に、爆発危険性を有する火薬類等を貯蔵するための貯蔵倉庫に関するものである。
【背景技術】
【０００２】
従来の火薬類等を貯蔵するための貯蔵倉庫は、コンクリート製の構造体で構成されているのが一般的である。
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
【先行技術文献】
【特許文献】
【０００３】
【特許文献１】特公平６−２３５１８号公報
【発明の概要】
【発明が解決しようとする課題】
【０００４】
上記のような従来のコンクリート製の構造体の貯蔵倉庫では、火薬類が爆発したとき、構造体の破片が飛散したり、爆風圧が拡散する虞がある。
【０００５】
又、特許文献１の貯蔵倉庫では、コンクリート片の飛散等は無いものの構造が複雑であり、施工性、汎用性が高いとは言えない。
【０００６】
この発明は、上記のような課題を解決するためになされたもので、簡易な構成で爆発時における爆発片の飛散や爆風圧の拡散が阻止される貯蔵倉庫を提供することを目的とする。
【課題を解決するための手段】
【０００７】
上記の目的を達成するために、請求項１記載の発明は、火薬類等を貯蔵するための貯蔵倉庫であって、地面上に設置され、火薬類等を貯蔵するための倉庫本体と、倉庫本体の外面であって、少なくとも地面より上の面を覆うシート体と、シート体を地面に固定する固定手段と、シート体の外面を覆う土層と、土層内に設置されたシート状の第１排水材とを備えたものである。
【０００８】
このように構成すると、倉庫本体が爆発した時、爆発片や爆風はシート体に包囲されると共に、爆発時のシート体の浮き上がりが土層によって阻止される。又、雨等によって土層内に染み込んだ水が第１排水材を介して移動する。
【０００９】
請求項２記載の発明は、請求項１記載の発明の構成において、第１排水材の端部側の少なくとも一部は下方に傾斜するものである。
【００１０】
このように構成すると、土層内の水が第１排水材の傾斜に沿って移動する。
【００１１】
請求項３記載の発明は、請求項１又は請求項２記載の発明の構成において、第１排水材の端部の少なくとも一部は土層の下方の外方端部付近に設置されるものである。
【００１２】
このように構成すると、土層内の水は第１排水材を介して土層の下方の外方端部付近まで誘導される。
【００１３】
請求項４記載の発明は、請求項１から請求項３のいずれかに記載の発明の構成において、第１排水材はシート体の外面に接するように設置されるものである。
【００１４】
このように構成すると、第１排水材の設置位置が安定する。
【００１５】
請求項５記載の発明は、請求項１から請求項４のいずれかに記載の発明の構成において、第１排水材の内面に接するように設置されたシート状の遮水材を更に備えるものである。
【００１６】
このように構成すると、遮水材より内方側への雨水等の浸入が阻止される。
【００１７】
請求項６記載の発明は、請求項１から請求項５のいずれかに記載の発明の構成において、第１排水材の外面の水平面に加わる土層の一部に対する静止摩擦力は、シート体の外面の水平面に加わる土層の一部に対する静止摩擦力より大きいものである。
【００１８】
このように構成すると、第１排水材上の土層部分はシート体上の土層部分より崩れ難くなる。
【００１９】
請求項７記載の発明は、請求項１から請求項６のいずれかに記載の発明の構成において、第１排水材の上方側であって、土層内に設置されたシート状の第２排水材を更に備えるものである。
【００２０】
このように構成すると、土層内に染み込んだ水が第２排水材を介しても移動する。
【００２１】
請求項８記載の発明は、火薬類等を貯蔵するための貯蔵倉庫であって、地面上に設置され、火薬類等を貯蔵するための倉庫本体と、倉庫本体の外面を覆う第１土層と、第１土層の外面を覆うシート体と、シート体を地面に固定する固定手段と、シート体の外面を覆う第２土層と、第２土層内に設置されたシート状の第１排水材とを備えたものである。
【００２２】
このように構成すると、倉庫本体が爆発した時、爆発片や爆風は第１土層を介してシート体に包囲されると共に、爆発時のシート体の浮き上がりが第２土層によって阻止される。又、雨等によって第２土層内に染み込んだ水が第１排水材を介して移動する。
【００２３】
請求項９記載の発明は、請求項８記載の発明の構成において、第１排水材の端部側の少なくとも一部は下方に傾斜するものである。
【００２４】
このように構成すると、第２土層内の水が第１排水材の傾斜に沿って移動する。
【００２５】
請求項１０記載の発明は、請求項８又は請求項９記載の発明の構成において、第１排水材の端部の少なくとも一部は第２土層の下方の外方端部付近に設置されるものである。
【００２６】
このように構成すると、第２土層内の水は第１排水材を介して第２土層の下方の外方端部付近まで誘導される。
【００２７】
請求項１１記載の発明は、請求項８から請求項１０のいずれかに記載の発明の構成において、第１排水材はシート体の外面に接するように設置されるものである。
【００２８】
このように構成すると、第１排水材の設置位置が安定する。
【００２９】
請求項１２記載の発明は、請求項８から請求項１１のいずれかに記載の発明の構成において、第１排水材の内面に接するように設置されたシート状の遮水材を更に備えるものである。
【００３０】
このように構成すると、遮水材より内方側への雨水等の浸入が阻止される。
【００３１】
請求項１３記載の発明は、請求項８から請求項１２のいずれかに記載の発明の構成において、第１排水材の外面の水平面に加わる第２土層の一部に対する静止摩擦力は、シート体の外面の水平面に加わる第２土層の一部に対する静止摩擦力より大きいものである。
【００３２】
このように構成すると、第１排水材上の第２土層部分はシート体上の第２土層部分より崩れ難くなる。
【００３３】
請求項１４記載の発明は、請求項８から請求項１３のいずれかに記載の発明の構成において、第１排水材の上方側であって、第２土層内に設置されたシート状の第２排水材を更に備えるものである。
【００３４】
このように構成すると、第２土層内に染み込んだ水が第２排水材を介しても移動する。
【００３５】
請求項１５記載の発明は、火薬類等を貯蔵するための貯蔵倉庫であって、地面上に設置され、火薬類等を貯蔵するための倉庫本体と、倉庫本体の外面であって、少なくとも地面より上の面を覆うと共に、その外面の摩擦係数がその内面の摩擦係数より大きいシート体と、シート体を地面に固定する固定手段と、シート体の外面を覆う土層とを備えたものである。
【００３６】
このように構成すると、倉庫本体が爆発した時、爆発片や爆風はシート体に包囲されると共に、爆発時のシート体の浮き上がりが土層によって阻止される。又、土層とシート体とが滑り難くなる。
【００３７】
請求項１６記載の発明は、請求項１５記載の発明の構成において、シート体は、ベースシートと、ベースシートの外面に接するように配置されると共に、その外面の摩擦係数がベースシートの内面の摩擦係数より大きいシート状の排水材とを含むものである。
【００３８】
このように構成すると、土層中の水がシート体の外面に沿って移動する。
【００３９】
請求項１７記載の発明は、火薬類等を貯蔵するための貯蔵倉庫であって、地面上に設置され、火薬類等を貯蔵するための倉庫本体と、倉庫本体の外面を覆う第１土層と、第１土層の外面を覆うと共に、その外面の摩擦係数がその内面の摩擦係数より大きいシート体と、シート体を地面に固定する固定手段と、シート体の外面を覆う第２土層とを備えたものである。
【００４０】
このように構成すると、倉庫本体が爆発した時、爆発片や爆風は第１土層を介してシート体に包囲されると共に、爆発時のシート体の浮き上がりが第２土層によって阻止される。又、第２土層とシート体とが滑り難くなる。
【００４１】
請求項１８記載の発明は、請求項１７記載の発明の構成において、シート体は、ベースシートと、ベースシートの外面に接するように配置されると共に、その外面の摩擦係数がベースシートの内面の摩擦係数より大きい排水シートを含むものである。
【００４２】
このように構成すると、第２土層中の水がシート体の外面に沿って移動する。
【００４３】
請求項１９記載の発明は、火薬類等を貯蔵するための貯蔵倉庫であって、地中に設置され、火薬類等を貯蔵するための倉庫本体と、倉庫本体の外面であって、少なくとも倉庫本体の最下部より上の面を覆うシート体と、シート体を地中で固定する固定手段と、倉庫本体の上方であって地中に設置されたシート状の排水材とを備えたものである。
【００４４】
このように構成すると、倉庫本体が爆発した時、爆発片や爆風はシート体に包囲されると共に、爆発時のシート体の浮き上がりが地表下の土によって阻止される。又、雨等によって地中に染み込んだ水が排水材を介して移動する。
【００４５】
請求項２０記載の発明は、火薬類等を貯蔵するための貯蔵倉庫であって、地中に設置され、火薬類等を貯蔵するための倉庫本体と、倉庫本体の外面であって、少なくとも倉庫本体の最下部より上の面を覆う土層と、土層の外面を覆うシート体と、シート体を地中で固定する固定手段と、倉庫本体の上方であって地中に設置されたシート状の排水材とを備えたものである。
【００４６】
このように構成すると、倉庫本体が爆発した時、爆発片や爆風は土層を介してシート体に包囲されると共に、爆発時のシート体の浮き上がりが地表下の土によって阻止される。又、雨等によって地中に染み込んだ水が排水材を介して移動する。
【発明の効果】
【００４７】
以上説明したように、請求項１記載の発明は、倉庫本体が爆発した時、爆発片や爆風はシート体に包囲されるため、爆発片の飛散や爆風圧の拡散が阻止される。又、爆発時のシート体の浮き上がりが土層によって阻止されるため、シート体の機能が確実に発揮され、信頼性が向上する。又、雨等によって土層内に染み込んだ水が第１排水材を介して移動するため、土層の強度が保持され、土層の崩壊が防止される。
【００４８】
請求項２記載の発明は、請求項１記載の発明の効果に加えて、土層内の水が第１排水材の傾斜に沿って移動するため、土層内の排水性が向上する。
【００４９】
請求項３記載の発明は、請求項１又は請求項２記載の発明の効果に加えて、土層内の水は第１排水材を介して土層の下方の外方端部付近まで誘導されるため、土層内の水を速やかに土層の外部に排出することが可能となる。
【００５０】
請求項４記載の発明は、請求項１から請求項３のいずれかに記載の発明の効果に加えて、第１排水材の設置位置が安定するため、第１排水材の設置作業が効率的となる。
【００５１】
請求項５記載の発明は、請求項１から請求項４のいずれかに記載の発明の効果に加えて、遮水材より内方側への雨水等の浸入が阻止されるため、遮水材より内方側の土層の強度が安定する。
【００５２】
請求項６記載の発明は、請求項１から請求項５のいずれかに記載の発明の効果に加えて、第１排水材上の土層部分はシート体上の土層部分より崩れ難くなるため、第１排水材の設置によって不用意に土層が崩れる虞が無い。
【００５３】
請求項７記載の発明は、請求項１から請求項６のいずれかに記載の発明の効果に加えて、土層内に染み込んだ水が第２排水材を介しても移動するため、第１排水材と第２排水材とによって排水するので、土層内の排水性が更に向上する。
【００５４】
請求項８記載の発明は、倉庫本体が爆発した時、爆発片や爆風は第１土層を介してシート体に包囲されるため、爆発片の飛散や爆風圧の拡散が阻止されると共に、シート体への衝撃が緩和される。その結果、シート体の強度を低く設定することが可能となる。又、爆発時のシート体の浮き上がりが第２土層によって阻止されるため、シート体の機能が確実に発揮され、信頼性が向上する。又、雨等によって第２土層内に染み込んだ水が第１排水材を介して移動するため、第２土層の強度が保持され、第２土層の崩壊が防止される。
【００５５】
請求項９記載の発明は、請求項８記載の発明の効果に加えて、第２土層内の水が第１排水材の傾斜に沿って移動するため、第２土層内の排水性が向上する。
【００５６】
請求項１０記載の発明は、請求項８又は請求項９記載の発明の効果に加えて、第２土層内の水は第１排水材を介して第２土層の下方の外方端部付近まで誘導されるため、第２土層内の水を速やかに第２土層の外部に排出することが可能となる。
【００５７】
請求項１１記載の発明は、請求項８から請求項１０のいずれかに記載の発明の効果に加えて、第１排水材の設置位置が安定するため、第１排水材の設置作業が効率的となる。
【００５８】
請求項１２記載の発明は、請求項８から請求項１１のいずれかに記載の発明の効果に加えて、遮水材より内方側への雨水等の浸入が阻止されるため、遮水材より内方側の土層の強度が安定する。
【００５９】
請求項１３記載の発明は、請求項８から請求項１２のいずれかに記載の発明の効果に加えて、第１排水材上の第２土層部分はシート体上の第２土層部分より崩れ難くなるため、第１排水材の設置によって不用意に第２土層が崩れる虞が無い。
【００６０】
請求項１４記載の発明は、請求項８から請求項１３のいずれかに記載の発明の効果に加えて、第２土層内に染み込んだ水が第２排水材を介しても移動するため、第１排水材と第２排水材とによって排水するので、第２土層内の排水性が更に向上する。
【００６１】
請求項１５記載の発明は、倉庫本体が爆発した時、爆発片や爆風はシート体に包囲されるため、爆発片の飛散や爆風圧の拡散が阻止される。又、爆発時のシート体の浮き上がりが土層によって阻止されるため、シート体の機能が確実に発揮され、信頼性が向上する。又、土層とシート体とが滑り難くなるため、土層の崩壊が防止できる。
【００６２】
請求項１６記載の発明は、請求項１５記載の発明の効果に加えて、土層中の水がシート体の外面に沿って移動するため、土層の強度が保持され、土層の崩壊の防止効果が向上する。
【００６３】
請求項１７記載の発明は、倉庫本体が爆発した時、爆発片や爆風は第１土層を介してシート体に包囲されるため、爆発片の飛散や爆風圧の拡散が阻止されると共に、シート体への衝撃が緩和される。その結果、シート体の強度を低く設定することが可能となる。又、爆発時のシート体の浮き上がりが第２土層によって阻止されるため、シート体の機能が確実に発揮され、信頼性が向上する。又、第２土層とシート体とが滑り難くなるため、第２土層の崩壊が防止できる。
【００６４】
請求項１８記載の発明は、請求項１７記載の発明の効果に加えて、第２土層中の水がシート体の外面に沿って移動するため、第２土層の強度が保持され、第２土層の崩壊の防止効果が向上する。
【００６５】
請求項１９記載の発明は、倉庫本体が爆発した時、爆発片や爆風はシート体に包囲されるため、爆発片の飛散や爆風圧の拡散が阻止される。又、爆発時のシート体の浮き上がりが地表下の土によって阻止されるため、シート体の機能が確実に発揮され、信頼性が向上する。又、雨等によって地中に染み込んだ水が排水材を介して移動するため、倉庫本体上方の地盤の強度が保持され、地面の崩壊が防止される。
【００６６】
請求項２０記載の発明は、倉庫本体が爆発した時、爆発片や爆風は土層を介してシート体に包囲されるため、爆発片の飛散や爆風圧の拡散が阻止されると共に、シート体への衝撃が緩和される。その結果、シート体の強度を低く設定することが可能となる。又、爆発時のシート体の浮き上がりが地表下の土によって阻止されるため、シート体の機能が確実に発揮され、信頼性が向上する。又、雨等によって地中に染み込んだ水が排水材を介して移動するため、倉庫本体上方の地盤の強度が保持され、地面の崩壊が防止される。
【図面の簡単な説明】
【００６７】
【図１】この発明の第１の実施の形態による貯蔵倉庫の外観形状を示す平面図である。
【図２】図１で示したＩＩ−ＩＩラインの断面図である。
【図３】この発明の第２の実施の形態による貯蔵倉庫の概略断面図であって、第１の実施の形態による図２に対応した図である。
【図４】図３に示すＡ部の拡大図である。
【図５】この発明の第３の実施の形態による貯蔵倉庫の概略断面図であって、第１の実施の形態による図２に対応した図である。
【図６】この発明の第４の実施の形態による貯蔵倉庫の概略断面図であって、第３の実施の形態による図５に対応した図である。
【図７】図６に示すＢ部の拡大図である。
【図８】この発明の第５の実施の形態による貯蔵倉庫の概略断面図であって、第４の実施の形態による図６に対応した図である。
【図９】この発明の第６の実施の形態による貯蔵倉庫の概略断面図であって、第１の実施の形態による図２に対応した図である。
【図１０】図９に示すＣ部の拡大図である。
【図１１】この発明の第７の実施の形態による貯蔵倉庫の概略断面図であって、第４の実施の形態による図６に対応した図である。
【図１２】図１１に示すＤ部の拡大図である。
【図１３】この発明の第８の実施の形態による貯蔵倉庫の概略断面図であって、第７の実施の形態による図１１に対応した図である。
【図１４】この発明の第９の実施の形態による貯蔵倉庫の概略断面図であって、第１の実施の形態による図２に対応した図である。
【図１５】この発明の第１０の実施の形態による貯蔵倉庫の概略断面図であって、第９の実施の形態による図１４に対応した図である。
【発明を実施するための形態】
【００６８】
図１はこの発明の第１の実施の形態による貯蔵倉庫の外観形状を示す平面図であり、図２は図１で示したＩＩ−ＩＩラインの断面図である。
【００６９】
これらの図を参照して、貯蔵倉庫１１の中心となる、火薬類等が貯蔵されている倉庫本体１４は、地面１６の上に設置されている。倉庫本体１４は、その材質は限定しないが、以下に述べるようなその外面に設置する構造体等を保持できるような強度を有する構造であれば良い。
【００７０】
倉庫本体１４の外面であって地面１６より上の面がシート体１３で覆われており、その外面が土層２０によって覆われている。シート体１３は総ゴム製の遮水シートが用いられており、その地面側の端部となる平坦部１９ａ、１９ｂの各々は、固定手段の一例となるアンカーボルト等の複数の固定部材１７ａ、１７ｂによって長手方向（図１において上下方向）に連続的に地面１６に固定されている。平坦部１９ａ、１９ｂの幅や強度は、爆風圧の大きさによって設定すれば良い。
【００７１】
又、倉庫本体１４の上方側であって、土層２０内に、不織布よりなるシート状の第１排水材３１が水平に設置されている。土層２０内に第１排水材３１を設置することで、雨等によって土層２０内に染み込んだ水が第１排水材を介して移動する。従って、土層２０内の水分量が低減するため、土層２０の強度が保持される。即ち、土層２０の崩壊が防止される。
【００７２】
更に、第１排水材３１の外面の水平面に加わる土層２０の一部に対する静止摩擦力は、シート体１３の外面の水平面に加わる土層２０の一部に対する静止摩擦力より大きくなるように設定されている。このように設定されることによって、第１排水材３１上の土層２０の一部は、シート体１３上の土層２０の一部より崩れ難くなる。従って、第１排水材３１を土層２０内に設置することによって不用意に土層２０が崩れる虞が無い。
【００７３】
尚、倉庫本体１４の長手方向の両端部は、図２の断面図と同様にシート体１３及び土層２０で覆うように構成しても良いが、扉構造を組み込んだ他の構造体によって塞ぐようにしても良い。いずれにしても、図２における倉庫本体１４の側面方向及び上面方向はシート体１３及び土層２０でその全面が覆われることになる。
【００７４】
次に、この貯蔵倉庫１１における安全性について説明する。
【００７５】
倉庫本体１４に収納されている火薬類がなんらかの原因で爆発すると、周囲にその破片が飛散したり爆風が拡散する。しかし、倉庫本体１４の地面１６より上の周囲はシート体１３で覆われているため、破片や爆風はシート体１３に包囲される。シート体１３は倉庫本体１４の外面を覆うと共に、その平坦部１９ａ、１９ｂが地面１６に固定されているため、シート体１３は爆風等によって捲りあがることが無い。その結果、シート体１３が破損しない状態では、倉庫本体１４を包囲したシート体１３に伝達された爆風等は外部に拡散されることが無いため、周囲の安全性が向上する。尚、地面１６の方向に拡散した爆風は地面１６に吸収され、地面１６より上の周囲に影響を与えることは無い。
【００７６】
又、シート体１３の外面が土層２０によって覆われているため、倉庫本体１４の爆発によって伝達された爆風等によるシート体１３の浮き上がりが、土層２０によって確実に防止されることになる。従って、シート体１３の機能が確実に発揮され、貯蔵倉庫１１の信頼性が向上する。尚、土層２０の土の種類や施工厚さは、倉庫本体１４内に貯蔵される火薬類の爆発力によるシート体１３への影響に応じて決定すれば良い。
【００７７】
尚、シート体１３は遮水性を有しているため、シート体１３の内方側に雨水等が浸透することは無い。従って、倉庫本体１４内の火薬類の湿潤を防ぐ効果が期待できる。又、爆発時における小片物の飛散が阻止されるのでより安全性が向上する。
【００７８】
図３はこの発明の第２の実施の形態による貯蔵倉庫の概略断面図であって、第１の実施の形態による図２に対応した図であり、図４は図３に示すＡ部の拡大図である。
【００７９】
これらの図を参照して、基本的な構成は第１の実施の形態の貯蔵倉庫と同一であるので、ここではその相違点について主に説明する。
【００８０】
この実施の形態による貯蔵倉庫１１にあっては、第１排水材３１の形状が大きく異なっている。即ち、第１排水材３１は、端部３５ａ、３５ｂ側（図３における左右側）が下方に傾斜すると共に、端部３５ａ、３５ｂが土層２０の下方の外方端部付近に位置するように形成されている。又、第１排水材３１の内面に接するように、シート状の総ゴム製の遮水材３３が設置されている。尚、遮水材３３の材質は、例えば樹脂製や金属製等、遮水性を有するものであれば良い。
【００８１】
第１排水材３１の端部３５ａ、３５ｂ側が下方に傾斜しているため、雨等によって浸透した土層２０内の水が第１排水材３１の傾斜に沿って移動する。従って、土層２０内の水が移動し易くなり、土層２０内の排水性が向上する。
【００８２】
又、第１排水材３１の端部３５ａ、３５ｂが土層２０の下方の外方端部付近に位置しているため、土層２０内の水は第１排水材３１を介して土層２０の下方の外方端部付近まで誘導される。従って、土層２０内の水を速やかに土層２０の外部に排出することが可能となる。
【００８３】
更に、第１排水材３１の内面に接するように遮水材３３が設置されているため、土層２０内において遮水材３３より内方側への水の浸入が阻止される。従って、遮水材より内方側の土層２０の部分が保有する水分量は常に一定となるので、この部分の強度が安定する。
【００８４】
図５はこの発明の第３の実施の形態による貯蔵倉庫の概略断面図であって、第１の実施の形態による図２に対応した図である。
【００８５】
これらの図を参照して、基本的な構成は第１の実施の形態の貯蔵倉庫と同一であるので、ここではその相違点について主に説明する。
【００８６】
この実施の形態による貯蔵倉庫１１にあっては、シート体１３及び第１排水材３１の形状が大きく異なっている。即ち、シート体１３の平坦部１９ａ、１９ｂは、その端部が土層２０の下方の外方端部付近に位置するように形成されている。そして、第１排水材３１は、シート体１３の外面に接するように設置されている。従って、第１排水材３１の端部３５ａ、３５ｂが土層２０の下方の外方端部付近に位置することになるため、第２の実施の形態と同様に、土層２０内の水を速やかに土層２０の外部に排出することが可能となる。
【００８７】
又、排水材３１はシート体１３の外面に接するように設置されているため、第１排水材３１の設置位置が安定する。従って、貯蔵倉庫１１の施工時における第１排水材３１の設置作業が効率的となる。
【００８８】
図６はこの発明の第４の実施の形態による貯蔵倉庫の概略断面図であって、第３の実施の形態による図５に対応した図である。
【００８９】
図を参照して、貯蔵倉庫１１の中心となる、火薬類等が貯蔵されている倉庫本体１４は、地面１６の上に設置されている。そして、倉庫本体１４の外面であって地面１６より上の面が第１土層２１で覆われており、その外面がシート体１３によって覆われている。そして、シート体１３の外面に接するようにシート状の排水材３１が設置されている。更に、シート体１３の外面は第２土層２７で覆われている。
【００９０】
尚、後述する排水材３１の構造以外については、貯蔵倉庫を構成する各構造体、即ち、倉庫本体１４、シート体１３及び各土層の材質や強度は、第３の実施の形態と同様である。従って、この実施の形態による貯蔵倉庫１１にあっては、第３の実施の形態の貯蔵倉庫と同様の効果を発揮する。
【００９１】
又、この実施の形態による貯蔵倉庫１１においては、倉庫本体１４の地面１６より上の周囲は第１土層２１で覆われているため、上述した爆発時においては、破片や爆風は第１土層２１で吸収されながらシート体１３に伝達する。従って、シート体１３への衝撃が緩和される。その結果、シート体１３の強度を低く設定することが可能となる。
【００９２】
ここで、この実施の形態による排水材３１の構造について説明する。
【００９３】
図７は図６に示すＢ部の拡大図である。
【００９４】
図を参照して、排水材３１は、シート体１３の外面上に配置されたシート状のポリプロピレンよりなる第１不織布４１と、ポリエチレンよりなるメッシュ状体４５と、メッシュ状体４５の外面上に配置されたシート状のポリプロピレンよりなる第２不織布とから構成されている。
【００９５】
このような構造の排水材については、例えば特開平１０−３２８６３５に記載されている。メッシュ状体４５には、複数の突起及び帯状の通水溝が形成されているため、第１不織布４１と第２不織布４２との間に連続した空隙を有している。従って、空隙及び通水溝を介して土層内に浸透した水を速やかに排出できる。
【００９６】
図８はこの発明の第５の実施の形態による貯蔵倉庫の概略断面図であって、第４の実施の形態による図６に対応した図である。
【００９７】
これらの図を参照して、基本的な構成は第４の実施の形態の貯蔵倉庫と同一であるので、ここではその相違点について主に説明する。
【００９８】
この実施の形態による貯蔵倉庫１１にあっては、第１排水材３１の上方側であって、第２土層２７内の両外方端部側に各々が設置された不織布よりなるシート状の第２排水材５１ａ、５１ｂを更に備えている。従って、雨等によって浸透した第２土層２７内に含まれる水が、第１排水材３１に加えて第２排水材５１ａ、５１ｂを介しても移動する。即ち、第１排水材３１及び第２排水材５１ａ、５１ｂによって排水するので、第２土層２７内の排水性が更に向上する。
【００９９】
図９はこの発明の第６の実施の形態による貯蔵倉庫の概略断面図であって、第１の実施の形態による図２に対応した図であり、図１０は図９に示すＣ部の拡大図である。
【０１００】
これらの図を参照して、基本的な構成は第１の実施の形態の貯蔵倉庫と同一であるので、ここではその相違点について主に説明する。
【０１０１】
この実施の形態による貯蔵倉庫１１にあっては、まず、排水材を備えていない点が大きく異なる。更に、シート体１３の形状が大きく異なっており、この形状の詳細及び効果について以下に説明する。
【０１０２】
ここで、図１０を参照して、シート体１３の外面には複数の突起部２３が形成されている。即ち、シート体１３の外面の凹凸の度合いが、その内面より大きくなるように形成されている。従って、シート体１３の外面の摩擦係数が、その内面の摩擦係数より大きい。シート体１３はこのように形成されているため、土層２０とシート体１３との摩擦抵抗が大きくなって滑り難くなる。従って、土層２０の崩壊が防止される。
【０１０３】
図１１はこの発明の第７の実施の形態による貯蔵倉庫の概略断面図であって、第４の実施の形態による図６に対応した図であり、図１２は図１１に示すＤ部の拡大図である。
【０１０４】
これらの図を参照して、基本的な構成は第４の実施の形態の貯蔵倉庫と同一であるので、ここではその相違点について主に説明する。
【０１０５】
この実施の形態による貯蔵倉庫１１にあっては、まず、排水材をシート体１３とは別に備えていない点が大きく異なる。更に、シート体１３の構造が大きく異なっており、この構造の詳細及び効果について以下に説明する。
【０１０６】
ここで、図１２を参照して、シート体１３は、ベースシート６０と、ベースシート６０の外面に接するように配置された不織布よりなる排水性能を有する排水シート６１とから構成されている。
【０１０７】
排水シート６１の外面の摩擦係数は、ベースシート６０の内面の摩擦係数より大きくなるように設定されている。そのため、第２土層２７とシート体１３との摩擦抵抗が大きくなって滑り難くなる。従って、土層２０の崩壊が防止される。
【０１０８】
又、シート体１３はその外面側に排水シート６１を備えているため、雨等によって浸透した第２土層２７中の水がシート体１３の排水シート６１に沿って移動する。従って、土層２０内の水分量が低減するため、土層２０の強度が保持され、土層２０の崩壊の防止効果が更に向上する。
【０１０９】
図１３はこの発明の第８の実施の形態による貯蔵倉庫の概略断面図であって、第７の実施の形態による図１１に対応した図である。
【０１１０】
これらの図を参照して、基本的な構成は第７の実施の形態の貯蔵倉庫と同一であるので、ここではその相違点について主に説明する。
【０１１１】
この実施の形態による貯蔵倉庫１１にあっては、第２土層２７内の両外方端部において上下方向に一定間隔で各々が水平に設置された、例えばジオグリッド又はエキスパンドメタルよりなるシート状の土層用補強材３７ａ〜３７ｄ及び補強材３８ａ〜３８ｄを更に備えている。補強材３７ａ〜３７ｄ及び補強材３８ａ〜３８ｄによって、特に崩壊し易い第２土層２７の法面部分の強度が高くなるため、シート体１３による排水効果と共に第２土層２７の崩壊の高い防止効果が得られる。
【０１１２】
図１４はこの発明の第９の実施の形態による貯蔵倉庫の概略断面図であって、第１の実施の形態による図２に対応した図である。
【０１１３】
図を参照して、貯蔵倉庫１１は、貯蔵倉庫１１の中心となる、火薬類等が貯蔵されている倉庫本体１４は、地面１６の地中内に設置されている。
【０１１４】
倉庫本体１４の外面であって、倉庫本体１４の最下部より上の面がシート体１３で覆われており、その外面が地表下の土によって覆われている。シート体１３は、その下方の端部となる平坦部１９ａ、１９ｂの各々は、固定手段の一例となるアンカーボルト等の複数の固定部材１７ａ、１７ｂによって長手方向に連続的に地中に固定されている。
【０１１５】
又、倉庫本体１４の上方側であって、地中内に、不織布よりなるシート状の排水材３１が水平に設置されている。地中内に排水材３１を設置することで、雨等によって地中に染み込んだ水が排水材を介して移動する。従って、倉庫本体上方の地盤の部分の水分量が低減するため、この部分の強度が保持される。即ち、地面１６の崩壊が防止される。
【０１１６】
又、シート体１３の外面が地表下の土によって覆われているため、倉庫本体１４の爆発によって伝達された爆風等によるシート体１３の浮き上がりが、地表下の土によって確実に防止されることになる。従って、シート体１３の機能が確実に発揮され、貯蔵倉庫１１の信頼性が向上する。
【０１１７】
尚、この実施の形態による貯蔵倉庫１１の各構造体の材質、寸法及び強度の条件は、地中という点を除いて第１の実施の形態と同様である。従って、第１の実施の形態と少なくとも同等の効果を有する貯蔵倉庫１１となる。
【０１１８】
図１５はこの発明の第１０の実施の形態による貯蔵倉庫の概略断面図であって、第９の実施の形態による図１４に対応した図である。
【０１１９】
図を参照して、貯蔵倉庫１１の中心となる、火薬類等が貯蔵されている倉庫本体１４は、地面１６の地中内に設置されている。そして、倉庫本体１４の外面であって、倉庫本体１４の最下部より上の面が土層２０で覆われており、その外面がシート体１３によって覆われている。又、倉庫本体１４の上方側であって、地中内に、シート状の排水材３１が設置されている。
【０１２０】
この実施の形態による貯蔵倉庫１１では、倉庫本体１４の最下部より上の周囲は土層２０で覆われているため、上述した爆発時においては、破片や爆風は土層２０で吸収されながらシート体１３に伝達する。従って、シート体１３への衝撃が緩和される。その結果、シート体１３の強度を低く設定することが可能となる。
【０１２１】
尚、この実施の形態による貯蔵倉庫１１を構成する各構造体、即ち、倉庫本体１４及びシート体１３の材質や強度は、上述したシート体１３の強度の設定を除いて第９の実施の形態と同様である。従って、この実施の形態による貯蔵倉庫１１にあっては、第９の実施の形態の貯蔵倉庫と少なくとも同等の効果を発揮する。
【０１２２】
尚、上記の第１の実施の形態では、第１排水材は水平に設置されているが、第１排水材は土層内に設置されていれば、どのような設置態様であっても良い。
【０１２３】
又、上記の第５の実施の形態では、第２土層の両外方端部付近に第２排水材が設置されているが、第１排水材の上方側であって、第２土層内に設置されていれば、例えば第２土層の中央部に設置されていても良い。
【０１２４】
更に、上記の第８の実施の形態では、第２土層の法面部分に補強材が設けられているが、補強材は他の第１〜第７の実施の形態の各土層の法面部分にも同様に適用することができる。
【０１２５】
更に、上記の第２及び第３の実施の形態では、第１排水材の両端部が土層の下方の外方端部付近に設置されているが、第１排水材の端部の少なくとも一部が土層の下方の外方端部付近に設置されていれば、他の設置態様であっても良い。
【０１２６】
更に、上記の第４及び第５の実施の形態では、第１排水材の両端部が第２土層の下方の外方端部付近に設置されているが、第１排水材の端部の少なくとも一部が第２土層の下方の外方端部付近に設置されていれば、他の設置態様であっても良い。
【０１２７】
更に、上記の第６及び第７の実施の形態では、シート体が特定の構造を有しているが、各々が有するシート体の構造は、互いのシート体に同様に適用できる。又、シート体の外面の摩擦係数がその内面の摩擦係数より大きいものであれば、他の構造であっても良い。
【０１２８】
更に、上記の第９及び第１０の実施の形態では、第１排水材は水平に設置されているが、第１排水材は倉庫本体の上方の地中に設置されていれば、どのような設置態様であっても良い。
【０１２９】
更に、上記の第９及び第１０の実施の形態では、シート体は倉庫本体の外面の最下部より上の面のみを覆うように形成されているが、倉庫本体の下面の一部をシート体の端部で覆うように形成しても良い。
【０１３０】
更に、上記の第２〜第５の実施の形態では、第１排水材の両端部側が下方に傾斜しているが、第１排水材の端部側の少なくとも一部が下方に傾斜していれば、他の設置態様であっても良い。
【０１３１】
更に、上記の第１〜第５の形態では、第１排水材の外面に加わる特定の静止摩擦力は、シート体の外面に加わる特定の静止摩擦力より大きくなるように形成されているが、各々の静止摩擦力の大きさが逆転するように形成されていても良い。
【０１３２】
更に、上記の第１〜第６の実施の形態では、シート体は１枚で使用しているが、状況に応じて複数枚を重ねて使用しても良い。
【０１３３】
更に、上記の第１〜第８の実施の形態では、シート体は倉庫本体の外面の地面より上の面のみを覆うように形成されているが、倉庫本体の下面の一部をシート体の端部で覆うように形成しても良い。
【０１３４】
更に、上記の各実施の形態では、シート体は総ゴム製の遮水シートを用いているが、ゴム材料に繊維、金網等からなる補強材を内部に埋設又は表面に被覆したシート材や合成樹脂性のシート材等を用いても良い。又、爆発片の飛散のみを防止するものであれば、爆発片を通過させない程度の網目を有する織布や爆発片を通過させない程度の貫通孔を有するゴム製シート、樹脂製シート及び金属製シートなどをシート体として用いることも可能である。
【０１３５】
更に、上記の各実施の形態では、基本的に倉庫本体の全面をシート体で覆っているが、一部を開放することにより爆風等の拡散方向を制御するように使用しても良い。
【０１３６】
更に、上記の各実施の形態では、シート体の設置形態については触れていないが、設置時にできるだけ角部等が現れないように設置すれば、シート体の破断を防止する意味で好ましい。
【符号の説明】
【０１３７】
１１…貯蔵倉庫
１３…シート体
１４…倉庫本体
１６…地面
１７…固定部材
２０…土層
２１…第１土層
２７…第２土層
３１、５１…排水材
３３…遮水材
３５…端部
６０…ベースシート
６１…排水シート
尚、各図中同一符号は同一又は相当部分を示す。
【図１】
2010195538.tif 000003
【図２】
2010195538.tif 000004
【図３】
2010195538.tif 000005
【図４】
2010195538.tif 000006
【図５】
2010195538.tif 000007
【図６】
2010195538.tif 000008
【図７】
2010195538.tif 000009
【図８】
2010195538.tif 000010
【図９】
2010195538.tif 000011
【図１０】
2010195538.tif 000012
【図１１】
2010195538.tif 000013
【図１２】
2010195538.tif 000014
【図１３】
2010195538.tif 000015
【図１４】
2010195538.tif 000016
【図１５】
2010195538.tif 000017